(57)【要約】【課題】操作パネルの組立及び分解、あるいは操作パネルに設けた電子部品の交換作業を短時間で簡単に行えるようにする。【解決手段】誘導加熱調理器１の本体部１１の前面１１ａに設けた操作パネル３０であって、本体部１１の前面１１ａに被せて取り付ける操作パネルカバー４０と、操作パネルカバー４０上に配置した電子部品４５と、本体部１１内に設置した回路基板５１上に設けたメスコネクタ４８ｂと、電子部品４５から延びる配線４６の先端に設けたオスコネクタ４８ａとからなるコネクタ部４８と、を備え、回路基板５１上のメスコネクタ４８ｂは、本体部１１の前面１１ａにおける操作パネルカバー４０を被せる位置に露出して設置されている。操作パネルカバー４０を本体部１１の前面１１ａから取り外せば、コネクタ部４８が露出するので、コネクタ部４８の着脱操作が簡単に行えるようになる。【選択図】図３
2010212008.tif 000002
【特許請求の範囲】
【請求項１】
調理器の本体部の前面に設けた操作パネルであって、
前記本体部の前面に被せて取り付ける操作パネルカバーと、
該操作パネルカバー上に配置した電子部品と、
前記本体部の内部に設置した回路基板と、
前記電子部品を前記回路基板に対して接続するために前記電子部品側から延びる配線と
、
該配線の先端に設けた一方の端子と、該一方の端子を接続させるために前記回路基板上
に設けた他方の端子とからなるコネクタ部と、
を備え、
前記回路基板上の前記他方の端子は、前記本体部の前面における前記操作パネルカバー
を被せる位置に露出して設置されている
ことを特徴とする調理器の操作パネル。
【請求項２】
前記本体部の前面における前記操作パネルに対応する位置には、調理器の前記本体部内
に設置した前記回路基板の端部が露出しており、
前記他方の端子は、前記回路基板の前記端部又はその近傍に設置されている
ことを特徴とする請求項１に記載の調理器の操作パネル。
【発明の詳細な説明】
【技術分野】
【０００１】
本発明は、誘導加熱調理器などの各種調理器に設けた操作パネルに関する。
【背景技術】
【０００２】
従来、例えば特許文献１に示すように、調理容器を載置する天板と、該天板の下方に配
置した調理容器を加熱する誘導加熱コイルとを備えてなる誘導加熱調理器（いわゆるＩＨ
クッキングヒーター）がある。この種の誘導加熱調理器は、ガスを使わずに大きな火力で
揚げ物や煮物あるいは焼き物などの調理が行えるため、近年、各家庭において広く普及し
ている。
【先行技術文献】
【特許文献】
【０００３】
【特許文献１】特開２００３−１９００２４号公報
【発明の概要】
【発明が解決しようとする課題】
【０００４】
上記のような誘導加熱調理器をはじめとする各種調理器は、本体部の前面に設けた操作
パネルを備えている。操作パネルは、本体部の前面に取り付けた操作パネルカバー上に配
列された電源スイッチや表示ランプなどの電子部品を備えている。このような電子部品は
、操作パネルカバーの裏面側に取り付けた基板に実装されており、該基板から、本体部の
内部に設置した他の回路基板に接続するための配線が延びている。そして、操作パネル側
から延びる配線を本体部側の回路基板側に接続するためのコネクタ部が設けられている。
コネクタ部は、配線の先端に設けたオスコネクタと、本体部側の回路基板上に設けたメス
コネクタとを備えて構成されている。
【０００５】
上記のような操作パネルを組み立てるには、まず、電源スイッチや表示ランプなどの電
子部品が実装された基板を操作パネルカバーに取り付けておき、その状態で、電子部品か
ら延びる配線のオスコネクタを本体部側の回路基板上に設けたメスコネクタに差し込むこ
とで、電子部品を回路基板に対して電気的に接続する。オスコネクタのメスコネクタへの
接続は、通常、スナップイン係合で行うことができる。その後、配線を操作パネルカバー
の裏側へ隠すように収容しつつ、操作パネルカバーを本体部の前面にネジ止めなどによっ
て固定する。
【０００６】
ところで、従来の操作パネルでは、調理器の本体部側に設置した回路基板が本体部内に
収容されているため、回路基板上のメスコネクタも調理器の本体部内に隠れた状態で配置
されていた。そのため、操作パネルカバーを本体部の前面から取り外した状態で、オスコ
ネクタとメスコネクタの接続箇所に容易に手が届かない構造であった。したがって、操作
パネルの組立及び分解、あるいは操作パネルが備える電源スイッチなどの電子部品の交換
作業を行う際、調理器の本体部を分解して回路基板の周囲を開いたり、本体部から回路基
板を取り外したりすることで、オスコネクタとメスコネクタの接続箇所に手が届くように
するための作業が必要であった。そのため、操作パネルの組立及び分解、あるいは操作パ
ネルに設けた電子部品の交換作業に手間と時間が掛かるという問題があった。
【０００７】
本発明は上述の点に鑑みてなされたものであり、その目的は、操作パネルの組立及び分
解、あるいは操作パネルに設けた電子部品の交換作業が短時間で簡単に行える調理器の操
作パネルを提供することにある。
【課題を解決するための手段】
【０００８】
上記課題を解決するための本発明は、調理器（１）の本体部（１１）の前面（１１ａ）
に設けた操作パネル（３０）であって、本体部（１１）の前面（１１ａ）に被せて取り付
ける操作パネルカバー（４０）と、該操作パネルカバー（４０）上に配置した電子部品（
４５）と、本体部（１１）の内部（５５）に設置した回路基板（５１）と、電子部品（４
５）を回路基板（５１）に対して接続するために電子部品（４５）側から延びる配線（４
６）と、該配線（４６）の先端に設けた一方の端子（４８ａ）と、該一方の端子（４８ａ
）を接続させるために回路基板（５１）上に設けた他方の端子（４８ｂ）とからなるコネ
クタ部（４８）と、を備え、回路基板（５１）上の他方の端子（４８ｂ）は、本体部（１
１）の前面（１１ａ）における操作パネルカバー（４０）を被せる位置に露出して設置さ
れていることを特徴とする。
【０００９】
本発明にかかる調理器の操作パネルによれば、回路基板上に設けた他方の端子は、本体
部の前面における操作パネルを被せる位置に露出して設置されているので、操作パネルカ
バーを本体部から取り外した状態で、電子部品と回路基板を接続するためのコネクタ部が
本体部の前面に露出するようになる。したがって、操作パネルの組立及び分解、あるいは
操作パネル上の電子部品の交換作業を行う際、操作パネルカバーを本体部から取り外せば
電子部品と回路基板を接続するコネクタ部が露出するので、コネクタ部に容易且つ確実に
手が届くようになり、コネクタ部の着脱操作を簡単に行えるようになる。したがって、操
作パネルの組立及び分解、あるいは電子部品の交換作業を短時間で効率良く行うことがで
きる。
【００１０】
また、上記の操作パネル（３０）では、調理器（１）の本体部（１１）の前面（１１ａ
）における操作パネル（３０）に対応する位置には、調理器（１）の本体部（１１）内に
設置した回路基板（５１）の端部（５１ａ）が露出しており、コネクタ部（４８）が備え
る他方の端子（４８ｂ）は、回路基板（５１）の当該端部（５１ａ）又はその近傍に設置
されているとよい。これによれば、操作パネルカバーを本体部から取り外した状態でコネ
クタ部が本体部の前面に露出するための構造を簡単な構成で容易に実現できるようになる
。
なお、上記の括弧内の符号は、後述する実施形態における構成要素の符号を本発明の一
例として示したものである。
【発明の効果】
【００１１】
本発明にかかる調理器の操作パネルによれば、操作パネルの組立及び分解、あるいは操
作パネルに設けた電子部品の交換作業を短時間で簡単に行えるようになる。
【図面の簡単な説明】
【００１２】
【図１】本発明の一実施形態にかかる誘導加熱調理器の全体構成を示す斜視図である。
【図２】操作パネルの詳細構成を示す図で、本体部の前面から操作パネルカバーを取り外した状態を示す分解斜視図である。
【図３】操作パネルの詳細構成を示す図で、図１のＡ−Ａ部分の矢視断面図である。
【発明を実施するための形態】
【００１３】
以下、添付図面を参照して本発明の実施形態を詳細に説明する。図１は、本発明の一実
施形態にかかるグリル装置２０を備えた誘導加熱調理器１の外観構成を示す斜視図である
。同図に示す誘導加熱調理器１は、システムキッチンなどにドロップイン方式で組み込ま
れて設置される調理器であり、略矩形状の筐体に収納された本体部１１と、本体部１１の
上面に装着された耐熱ガラスを備えてなる天板１２と、本体部１１の内部における天板１
２の下方に設置された熱源となる左右一対の誘導加熱コイル１３，１４と、それらの中央
奥側に配置されたラジエントヒーター１５とを備えている。なお、本実施形態の説明で手
前側又は奥側というときは、誘導加熱調理器１の本体部１１における前側又は後側を示し
、左右又は横方向というときは、本体部１１を手前側から見た場合の左右及び横方向を示
すものとする。
【００１４】
誘導加熱コイル１３，１４は、略円盤状の外形を有しており、天板１２の手前側の左右
にそれぞれ１個ずつ配置されている。また、天板１２の外周を囲む天板枠１２ａの前端辺
には、操作窓１７が穿孔されており、操作窓１７内には、非接触式のタッチキーで構成さ
れた操作部１７ａが配置されている。操作部１７ａには、火力キー、湯沸しキー、揚げ物
キーなどのタッチ領域が印刷により形成されている。また、天板枠１２ａの後端辺には、
左右一対の吸排気カバー１６，１６が着脱自在に装着されている。
【００１５】
本体部１１内の左側下部には、魚などの焼物用のグリル装置２０が設けられている。グ
リル装置２０は、誘導加熱コイル１３の下側において略直方体状の箱型に形成された加熱
室２２と、加熱室２２内に設置したヒーターユニット（図示せず）とを備えている。加熱
室２２の前面には、開口２３が設けられている。開口２３は、横長の略長方形状に形成さ
れており、開口２３には、手前側へ引き出し可能な前扉（フロントパネル）２５が設置さ
れている。前扉２５の奥側には、受皿（図示せず）が一体に取り付けられており、該受皿
の上には、網棚（図示せず）が載置されている。受皿と網棚は、加熱室２２内に収納され
ており、前扉２５の開閉に伴い加熱室２２に対して出し入れされるようになっている。
【００１６】
本体部１１の前面１１ａにおける右側には、操作パネル３０が配置されている。操作パ
ネル３０は、本体部１１の前面１１ａに被せて取り付ける操作パネルカバー４０と、該操
作パネルカバー４０上に配置した電子部品４５とを備えている。操作パネルカバー４０上
に配置した電子部品４５は、電源スイッチ４５ａ、ＬＥＤなどからなるランプ類４５ｂ、
ＬＣＤを備えてなる表示器４５ｃなどがある。なお、上記の電子部品４５は一例であり、
操作パネル３０には、他の種類の電子部品を配設することも可能である。
【００１７】
図２及び図３は、操作パネル３０の詳細構成を示す図で、図２は、本体部１１の前面１
１ａから操作パネルカバー４０を取り外した状態を示す分解斜視図（部分図）、図３は、
図１のＡ−Ａ部分の概略矢視断面図である。図３に示すように、操作パネル３０の背面側
には、本体部１１の内部（収納部５５）に設置した回路基板５１と、操作パネル３０が備
える電源スイッチ４５ａなどの電子部品４５を回路基板５１に対して接続するための配線
４６と、配線４６の先端に設けたオスコネクタ（一方の端子）４８ａと、回路基板５１上
に設けたメスコネクタ（他方の端子）４８ｂとからなるコネクタ部４８などが設置されて
いる。
【００１８】
図２に示すように、操作パネルカバー４０は、略矩形の平板状に形成された合成樹脂製
の成型品であり、操作パネル３０に対応する本体部１１の前面１１ａの右半分に沿う外形
を有している。操作パネルカバー４０の前面４０ａの右上近傍には、押釦式の電源スイッ
チ４５ａが配置されており、前面４０ａの中央付近には、複数のランプ類４５ｂが配置さ
れており、前面４０ａの右下近傍には、ＬＣＤからなる表示器４５ｃが配置されている。
これら電源スイッチ４５ａ、ランプ類４５ｂ、表示器４５ｃなどの電子部品４５は、操作
パネルカバー４０の後面４０ｂに取り付けた実装基板４７（図３参照）上に実装されてい
るもので、操作パネルカバー４０に形成した開口部４０ｃなどから操作パネル３０の前面
４０ａに露出している。なお、図３では、操作パネルカバー４０に取り付けた複数種類の
電子部品４５及び該電子部品４５から延びる配線４６の一例として、電源スイッチ４５ａ
及び配線４６のみを図示している。
【００１９】
図３に示すように、操作パネルカバー４０の後面４０ｂ側には、凹部４９が形成されて
いる。凹部４９内には、操作パネルカバー４０の後面４０ｂに取り付けた実装基板４７や
該実装基板４７から延びる配線４６が収納されている。操作パネルカバー４０は、図２に
示すように、本体部１１の前面１１ａに設けた収納部５５を囲む枠部５６に形成したネジ
穴５６ａと、操作パネルカバー４０の後面４０ｂにおける凹部４９の周囲に形成したネジ
穴４９aとにネジ６０（図１参照）を締結することで、本体部１１の前面１１ａに被せた
状態で固定されるようになっている。
【００２０】
図３に示すように、本体部１１における操作パネルカバー４０を被せる位置の後側には
、回路基板５１などの部品を収納するための収納部５５が設けられている。また、本体部
１１の前面１１ａにおける収納部５５に対応する位置には、開口部５７が形成されている
。開口部５７は、横長の略長方形状で、該開口部５７によって収納部５５の前面が開かれ
ている。開口部５７の上部には、本体部１１の前面１１ａから手前側に向かって斜め下方
へ突出する平板状のひさし部５８が設けられている。収納部５５内には、その面が横向き
（水平）に載置された回路基板５１が収納されており、該回路基板５１の前端辺５１ａが
開口部５７から露出している。すなわち、回路基板５１の前端辺５１ａは、ひさし部５８
の下側の開口部５７に配置されており、本体部１１の前面１１ａよりも若干前側に突出し
ている。
【００２１】
電子部品４５側の配線４６の先端には、オスコネクタ４８ａが設置されている。一方、
本体部１１側の開口部５７に露出する回路基板５１の前端辺５１ａには、配線４６のオス
コネクタ４８ａを接続させるためのメスコネクタ４８ｂが設置されている。メスコネクタ
４８ｂは、回路基板５１の前端辺５１ａに固定されて本体部１１の前側を向いて設置され
ており、本実施形態では、複数個（図２では３個）が回路基板５１の前端辺５１ａに沿っ
て並べて配置されている。図２に示す３個のメスコネクタ４８ｂは、左側から順に表示器
４５ｃ接続用、ランプ類４５ｂ接続用、電源スイッチ４５ａ接続用のメスコネクタ４８ｂ
である。オスコネクタ４８ａとメスコネクタ４８ｂは、通常の配線接続カプラーに用いら
れる公知のスナップイン係合構造を備えた合成樹脂製の成型品であり、オスコネクタ４８
ａのメスコネクタ４８ｂに対する着脱は、スナップインによって行われるようになってい
る。上記の配線４６の先端に設けたオスコネクタ４８ａと、回路基板５１に固定したメス
コネクタ４８ｂとで、電子部品４５を回路基板５１に対して接続するためのコネクタ部４
８が構成されている。
【００２２】
次に、上記構成の操作パネル３０を組み立てる手順について説明する。操作パネル３０
を組み立てるには、まず、電源スイッチ４５ａなどの電子部品４５を実装した実装基板４
７を操作パネルカバー４０の後面４０ｂに取り付ける。実装基板４７の操作パネルカバー
４０への取り付けは、図３に示すネジ４７ａの締結で行う。あるいは、操作パネルカバー
４０の後面４０ｂに実装基板４７を差し込むスリット状の固定部（図示せず）を形成して
いる場合は、当該固定部に実装基板４７を差し込んで固定することも可能である。こうし
て操作パネルカバー４０に実装基板４７を取り付けた状態で、実装基板４７から延びる配
線４６の先端に設けたオスコネクタ４８ａを本体部１１側の回路基板５１上に設けたメス
コネクタ４８ｂに差し込むことで、これらをスナップイン係合で接続する。これにより、
電源スイッチ４５ａなどの電子部品４５を本体部１１側の回路基板５１に対して電気的に
接続することができる。続けて、配線４６を操作パネルカバー４０の凹部４９内に隠すよ
うに収容しつつ、操作パネルカバー４０を本体部１１の前面１１ａに固定する。操作パネ
ルカバー４０の本体部１１への固定は、ネジ６０（図１参照）の締結によって行う。以上
により操作パネル３０の組立が完了する。
【００２３】
本実施形態の操作パネル３０では、本体部１１側の回路基板５１上に設置したメスコネ
クタ４８ｂは、本体部１１の前面１１ａにおける操作パネル３０を被せる位置に露出した
状態で設置されている。したがって、操作パネルカバー４０を本体部１１の前面１１ａか
ら取り外した状態で、電子部品４５を回路基板５１に接続するためのコネクタ部４８が本
体部１１の前面１１ａに露出した状態となる。これにより、操作パネル３０の組立及び分
解を行う際、あるいは操作パネル３０が備える電源スイッチ４５ａなど電子部品４５の交
換作業を行う際、コネクタ部４８に容易且つ確実に手が届くようになるので、コネクタ部
４８の着脱操作を簡単に行えるようになる。したがって、操作パネル３０の組立及び分解
、あるいは電子部品４５の交換作業を短時間で効率良く行うことができる。
【００２４】
また、本実施形態の操作パネル３０では、回路基板５１上に設置したメスコネクタ４８
ｂを本体部１１の前面１１ａに露出させるための構成として、本体部１１の前面１１ａに
おける操作パネル３０に対応する位置に回路基板５１の前端辺５１ａを露出させ、メスコ
ネクタ４８ｂを当該露出する回路基板５１の前端辺５１ａに設けている。これにより、操
作パネルカバー４０を本体部１１から取り外した状態でメスコネクタ４８ｂが本体部１１
の前面１１ａに露出する構造を簡単に実現している。
【００２５】
また、本実施形態の操作パネル３０では、図２に示すように、複数種類の電子部品４５
（ここでは、電源スイッチ４５ａ、ランプ類４５ｂ、表示器４５ｃ）に対応するメスコネ
クタ４８ｂを本体部１１の前面１１ａに並べて配置している。これにより、操作パネル３
０上に互いの機能が異なる複数種類の電子部品４５を設置する場合でも、操作パネル３０
の取り付け及び取り外しが簡単に行えるようになる。また、複数種類の電子部品４５に対
応するメスコネクタ４８ｂを並べて配置したことで、例えば、複数のメスコネクタ４８ｂ
を選択的に利用するようにすれば、同一の本体部１１に対して異なる構成の操作パネル３
０（設置する電子部品の数や種類が異なるもの）を取り付けて製品のバリエーションを増
やすなどの対応も簡単に行えるようになる。
【００２６】
以上本発明の実施形態を説明したが、本発明は上記実施形態に限定されるものではなく
、特許請求の範囲、及び明細書と図面に記載された技術的思想の範囲内において種々の変
形が可能である。なお直接明細書及び図面に記載のない何れの形状・構造・材質であって
も、本願発明の作用・効果を奏する以上、本願発明の技術的思想の範囲内である。例えば
、上記実施形態では、操作パネル３０上の電子部品４５を本体部１１側の回路基板５１に
接続するためのコネクタ部４８として、配線４６の先端に設けたオスコネクタ４８ａと、
回路基板５１上に設けたメスコネクタ４８ｂとからなるコネクタ部４８を示したが、コネ
クタ部４８の具体的な構成はこれには限定されず、例えば、電子部品４５の配線４６側に
メスコネクタ４８ｂを設置し、本体部１１側の回路基板５１上にオスコネクタ４８ａを設
置してもよい。
【００２７】
また、一の操作パネルに対して複数のコネクタ部を設ける場合は、各コネクタ部を必ず
しも同一の回路基板上に設ける必要は無く、異なる回路基板上に設けてもよい。また、上
記実施形態に示す操作パネル３０上に設けた電子部品４５は一例であり、本発明にかかる
操作パネル上の電子部品としては、電源スイッチ４５ａ、ランプ類４５ｂ、表示器４５ｃ
以外の電子部品であってもよい。
【符号の説明】
【００２８】
１                      誘導加熱調理器
１１                    本体部
１１ａ                  前面
１３，１４              誘導加熱コイル
１５                    ラジエントヒーター
２０                    グリル装置
２５                    前扉（フロントパネル）
３０                    操作パネル
４０                    操作パネルカバー
４５                    電子部品
４５ａ                  電源スイッチ
４５ｂ                  ランプ類
４５ｃ                  表示器
４６                    配線
４７                    実装基板
４８                    コネクタ部
４８ａ                  オスコネクタ（一方の端子）
４８ｂ                  メスコネクタ（他方の端子）
４９                    凹部
５１                    回路基板
５１ａ                  前端辺
５５                    収納部（内部）
【図１】
2010212008.tif 000003
【図２】
2010212008.tif 000004
【図３】
2010212008.tif 000005